(57)【要約】【課題】電気光学装置において、照明装置の光源の種類に応じて２つの表示パネルの照明方法を変え、その一方の表示パネルの色再現性の向上等を図る。【解決手段】液晶装置は両面表示方式の携帯電話等に用いられ、導光板と光源部を有する照明装置と、その一方の面側に配置され４色の着色層を有する第１の液晶表示パネルと、その他方の面側に配置され３色の着色層を有する第２の液晶表示パネルとを備える。光源部は、白色光を生成するＲＧＢＬＥＤと、ＹＡＧ系蛍光体を含み白色光を生成する白色ＬＥＤとを有する。第１の液晶表示パネルはメイン表示パネルに相当し、少なくともＲＧＢＬＥＤを用いて照明され、ＲＧＢＬＥＤは第２の液晶表示パネルを照明するときには点灯されない。よって色再現性の高い表示が得られ、且つＲＧＢＬＥＤの経時劣化を遅らせつつ、光源部の省電力化が図れる。一方、第２の液晶表示パネルはサブ表示パネルに相当し、白色ＬＥＤを用いて照明される。【選択図】図６
2007240910.tif 000002
【特許請求の範囲】
【請求項１】
導光板及び複数の光源を有し、前記複数の光源のうち第１の光源が第２の光源と独立に点灯制御可能な照明装置と、
前記照明装置の一方の面側に配置され、第１の単位画素内に少なくとも４色の色相の着色領域を含む第１のカラーフィルタを有する第１の表示パネルと、
前記照明装置の他方の面側に配置され、第２の単位画素内に少なくとも３色の色相の着色領域を含む第２のカラーフィルタを有する第２の表示パネルと、を備え、
前記第１の光源は、前記第２の表示パネルを照明するときには点灯しないことを特徴とする電気光学装置。
【請求項２】
前記複数の光源は、白色光を発光し、
前記第１の光源は、赤色光を発光する第１の半導体発光素子、緑色光を発光する第２の半導体発光素子及び青色光を発光する第３の半導体発光素子を有し、
前記第２の光源は、青色光を発光する第４の半導体発光素子及び前記第４の半導体発光素子から発光された前記青色光の照射を受けて黄色光を発光する蛍光体を有することを特徴とする請求項１に記載の電気光学装置。
【請求項３】
前記照明装置は、前記複数の光源を全て点灯させる第１のモードと、前記第２の光源のみを点灯させる第２のモードとで前記光源を点灯制御する制御部を備えることを特徴とする請求項１又は２に記載の電気光学装置。
【請求項４】
前記制御部は、前記第１の表示パネルを照明するときに前記第１のモードで前記光源の点灯制御を行い、前記第２の表示パネルを照明するときに前記第２のモードで前記光源の点灯制御を行うことを特徴とする請求項３に記載の電気光学装置。
【請求項５】
前記複数の光源は、前記複数の光源部が配置された前記導光板の一端面と対向する他端面に配置された補助光源を含み、
前記制御部は、前記第２の光源及び前記補助光源のみを点灯させる第３のモードを有することを特徴とする請求項３又は４に記載の電気光学装置。
【請求項６】
前記第１のカラーフィルタは、波長に応じて色相が変化する可視光領域のうち、青系の色相の着色領域、赤系の色相の着色領域、青から黄までの色相の中で選択された２種の色相の着色領域を有することを特徴とする請求項１に記載の電気光学装置。
【請求項７】
前記第１のカラーフィルタは、着色領域を透過した光の波長のピークが、４１５〜５００ｎｍにある第１着色領域と、６００ｎｍ以上にある第２着色領域と、４８５〜５３５ｎｍにある第３着色領域と、５００〜５９０ｎｍにある第４着色領域と、を有することを特徴とする請求項１に記載の電気光学装置。
【請求項８】
請求項１乃至７のいずれか一項に記載の電気光学装置を表示部に備えることを特徴とする電子機器。
【請求項９】
前記電子機器は本体部と前記表示部とを備える折り畳み式携帯電話であり、
前記本体部及び前記表示部が折り畳まれた時に、前記第１の表示パネルは前記表示部の前記本体部側の面に位置し、前記第２の表示パネルは前記表示部の前記本体部と反対側の面に位置することを特徴とする請求項８に記載の電子機器。
【発明の詳細な説明】
【技術分野】
【０００１】
本発明は、各種情報の表示に用いて好適な電気光学装置等に関する。
【背景技術】
【０００２】
従来より、液晶装置、有機エレクトロルミネッセンス表示装置、プラズマディスプレイ装置、及びフィールドエミッション表示装置などの各種の電気光学装置が知られている。  そのような電気光学装置の一例としての液晶装置は、いわゆる両面表示方式の携帯電話等の表示装置として好適に用いられている。
【０００３】
例えば、折り畳み可能な両面表示方式の携帯電話では、一般的に、操作ボタンなどが設けられた本体部に対して蝶番式に折り畳み可能に表示部（構造上、ふた側に相当する）が取り付けられており、表示部の内側（操作ボタンと対向する側）に大型の液晶表示パネルが設けられ、表示部の外側（背面側）に小型の液晶表示パネルが設けられている。即ち、大型の液晶表示パネルと小型の液晶表示パネルが背中合わせに設けられている。そして、背中合わせに配置されてなる２つの液晶表示パネルの間には、１つのバックライトユニットが設けられる（例えば、特許文献１を参照）。
【０００４】
このような構成を採用することで、１つのバックライトユニットの一方の発光面を大型の液晶表示パネルの照明に使用し、他方の発光面を小型の液晶表示パネルの照明に使用することにより消費電力の低減、装置自体の薄型化、低コスト化などが図られる。
【０００５】
【特許文献１】特開２００４−１５１３４２号公報
【発明の開示】
【発明が解決しようとする課題】
【０００６】
上記した両面表示方式の携帯電話等では、一般的に、大型の液晶表示パネルは各種の情報を表示するメイン表示用パネルとして用いられる一方、小型の液晶表示パネルは電池の残量表示や電波の状況などの簡易表示をするサブ表示用パネルとして用いられている。
【０００７】
したがって、例えば、カラー表示が可能な両面表示方式の携帯電話では、サブ表示用パネルには高い表示品位はそれほど必要とされないが、メイン表示用パネルには色再現性の高い表示品位が要求される。そのため、照明装置の光源の種類に応じて、その２つの表示パネルを照明すれば、上記の要求を満足しつつ消費電力の低減も図れることが期待できる。
【０００８】
本発明は上記の点に鑑みてなされたものであり、両面表示方式の携帯電話などの電子機器に好適に搭載され、照明装置の光源の種類に応じて２つの表示パネルの照明方法を変えることにより、２つの表示パネルのうち少なくとも一方の表示パネルの色再現性の向上を図ることが可能な電気光学装置等を提供することを課題とする。
【課題を解決するための手段】
【０００９】
本発明の１つの観点では、電気光学装置は、導光板及び複数の光源を有し、前記複数の光源のうち第１の光源が第２の光源と独立に点灯制御可能な照明装置と、前記照明装置の一方の面側に配置され、第１の単位画素内に少なくとも４色の色相の着色領域を含む第１のカラーフィルタを有する第１の表示パネルと、前記照明装置の他方の面側に配置され、第２の単位画素内に少なくとも３色の色相の着色領域を含む第２のカラーフィルタを有する第２の表示パネルと、を備え、前記第１の光源は、前記第２の表示パネルを照明するときには点灯しない。
【００１０】
上記の電気光学装置は、複数の光源と、その光源からの光を外部へ出射する導光板と、複数の光源のうち第１の光源が第２の光源と独立に点灯制御可能な照明装置と、その照明装置の一方の面側に配置され、第１の単位画素内に少なくとも４色の色相の着色領域を含む第１のカラーフィルタを有する第１の表示パネルと、その照明装置の他方の面側に配置され、第２の単位画素内に少なくとも３色の色相の着色領域を含む第２のカラーフィルタを有する第２の表示パネルと、を備えて構成される。よって、１つの照明装置により２つの表示パネルを照明することができ、電気光学装置の低コスト化、薄型化などが可能となる。
【００１１】
また、第１の表示パネルは、第１の単位画素内に少なくとも４色の色相の着色領域を含む第１のカラーフィルタを有するので、第１の単位画素内に３色の色相の着色領域を含むカラーフィルタを有する表示パネルと比較して、その分だけ色再現性の高い表示を得ることができる。このため、第１の表示パネルは、例えば、両面表示方式の携帯電話等の電子機器においてメイン表示パネルとして好適に用いることができる。一方、第２の表示パネルは、第２の単位画素内に少なくとも３色の色相の着色領域を含む第２のカラーフィルタを有するので、第１の表示パネルと比べると色再現性はそれ程高くない。そのため、第２の表示パネルは、例えば、両面表示方式の携帯電話等の電子機器において、時刻、電池残量、電波状況などの簡単な表示情報を表示するサブ表示パネルとして好適に用いることができる。
【００１２】
また、この照明装置において、複数の光源のうち第１の光源が第２の光源と独立に点灯制御可能に構成されている。よって、当該照明装置により複数の照明対象物を照明する場合や、異なる態様で照明を行う場合に、複数の光源のうち第１の光源を第２の光源と独立して点灯／消灯させることができるので、不要な点灯を防止することができ、消費電力を低減することができる。特に、この照明装置では、第１の光源は、第２の表示パネルを照明するときには点灯しない。これにより、第１の光源の経時劣化を遅らせつつ、光源部の省電力化が図れる。
好適な例では、前記第１のカラーフィルタは、波長に応じて色相が変化する可視光領域のうち、青系の色相の着色領域、赤系の色相の着色領域、青から黄までの色相の中で選択された２種の色相の着色領域を有するのが好ましい。また、前記第１のカラーフィルタは、着色領域を透過した光の波長のピークが、４１５〜５００ｎｍにある第１着色領域と、６００ｎｍ以上にある第２着色領域と、４８５〜５３５ｎｍにある第３着色領域と、５００〜５９０ｎｍにある第４着色領域と、を有するのが好ましい。
【００１３】
上記の電気光学装置の一つの態様では、前記複数の光源は、白色光を発光し、前記第１の光源は、赤色光を発光する第１の半導体発光素子、緑色光を発光する第２の半導体発光素子及び青色光を発光する第３の半導体発光素子を有し、前記第２の光源は、青色光を発光する第４の半導体発光素子及び前記第４の半導体発光素子から発光された前記青色光の照射を受けて黄色光を発光する蛍光体を有する。
【００１４】
この態様では、複数の光源は、白色光を発光する。第１の光源は、いわゆるＲＧＢ光源であり、赤色光を発光する第１の半導体発光素子、緑色光を発光する第２の半導体発光素子及び青色光を発光する第３の半導体発光素子を有する。よって、第１の半導体発光素子、第２の半導体発光素子及び第３の半導体発光素子の各々を発光させることにより、赤色光、緑色光及び青色光が混光されて白色光を得ることができる。なお、第１の光源は、第１の半導体発光素子、第２の半導体発光素子及び第３の半導体発光素子の各々を独立に発光させるように構成しても構わない。一方、第２の光源は、青色光を発光する第４の半導体発光素子と、その第４の半導体発光素子から発光された青色光の照射を受けて黄色光を発光する蛍光体を有する。好適な例では、第２の光源は、青色光を発光する青色ＬＥＤと、ＹＡＧ（イットリウム・アルミニウム・ガーネット）系蛍光体より構成されるのが好ましい。ここで、第４の半導体発光素子より発光された青色光は、蛍光体を励起して、黄色光を生成する。したがって、第２の光源によって発光される光は、青色光と、当該青色光が蛍光体を励起して生成された黄色光とが混光した白色光となる。
【００１５】
上記の電気光学装置の他の態様では、前記照明装置は、前記複数の光源を全て点灯させる第１のモードと、前記第２の光源のみを点灯させる第２のモードとで前記光源を点灯制御する制御部を備える。
【００１６】
この態様では、第１のモードでは全ての光源を点灯させて広い領域を照明する、又は、より明るい照明を行い、第２のモードでは第２の光源のみを点灯させて狭い領域を照明する、又は明るさを抑えた照明を行うことができる。これにより、光源を不必要に点灯させることがなくなり、消費電力を低減することができる。
【００１７】
上記の電気光学装置の他の態様では、前記制御部は、前記第１の表示パネルを照明するときに前記第１のモードで前記光源の点灯制御を行い、前記第２の表示パネルを照明するときに前記第２のモードで前記光源の点灯制御を行う。
【００１８】
この態様では、制御部は、第１の表示パネルを照明するときに第１のモードで光源の点灯制御を行う。したがって、例えば、第１のモードによりＲＧＢ光源たる第１の光源と第２の光源を含む複数の光源の全てを点灯させて第１の表示パネルを照明することにより、第１の光源から発光される赤色光、緑色光及び青色光が、第１の表示パネルの４色の着色領域を含む第１のカラーフィルタを透過することで、より色再現性の高い表示が得られると共に、第１の表示パネルの輝度を大きくすることができる。
【００１９】
また、制御部は、第２の表示パネルを照明するときに第２のモードで光源の点灯制御を行う。したがって、例えば、第２のモードにより複数の光源のうち第２の光源のみを点灯させて第２の表示パネルを照明することにより、次のような作用効果が得られる。
【００２０】
即ち、ＲＧＢ光源では、赤色光を発光する第１の半導体発光素子、緑色光を発光する第２の半導体発光素子及び青色光を発光する第３の半導体発光素子の各々から出射された光のスペクトル（光度）は経時変化などに伴って変化する性質を有する。そのため、その出射光のホワイトバランスも初期設定の状態から次第に崩れていってしまい、当然に、第１の表示パネルの表示時のホワイトバランスも崩れていってしまうことになる。そうすると、第１の表示パネルを色再現性の高い表示が要求されるメイン表示パネルとして用いることができなくなってしまう。そこで、第２の表示パネルを用いる場合には、経時変化によるＲＧＢ光源の消耗をできる限り防止して、第１の表示パネルの初期設定時における良好なホワイトバランスを長期間に亘って保つため、制御部は第２モードによりＲＧＢ光源たる第１の光源を用いずに第２の光源のみを点灯させて第２の表示パネルを照明する。これにより、経時変化によるＲＧＢ光源たる第１の光源の消耗をできる限り防止できると共に、第１の表示パネルの初期設定時における良好なホワイトバランスを長期間に亘って保つことができる。
【００２１】
また、上記のように、第２のモードにより複数の光源のうち第２の光源のみを点灯させて第２の表示パネルを照明すると、その照明光は、青色光の成分が多い白色光となる。つまり、第２の表示パネルを照明する光は、青味がかった白色光となる可能性がある。
【００２２】
そこで、そのような不具合の発生を防止するため、他の態様として、第２のモードにより第２の光源を点灯するのに加え、第１の光源のうち、赤色光を発光する第１の半導体発光素子、緑色光を発光する第２の半導体発光素子のみを各々点灯させて第２の表示パネルを照明することにより、第１の半導体発光素子から赤色光が発光され、また、第２の半導体発光素子から緑色光が発光され、また、第２の光源から青色光の成分が多い白色光が発光されて、それらの各光は混光され、その混光された白色光は純白色光に近づく、つまり青色光の成分が多い白色光に赤色光及び緑色光が混光されることで色づきの少ない白色光に補正される。その結果、照明装置は色づきのない白色光を用いて、第２の表示パネルを照明することができる。
【００２３】
また、第２の半導体発光素子により発光される緑色光は明るいので照明光の全体的な輝度を高める役割を有すると共に、赤色光、緑色光及び青色光を各々発光する第１〜第３の半導体発光素子のなかで、赤色光を発光する第１の半導体発光素子は最も経時劣化が早い性質を有する。したがって、この点を考慮すると、第２の表示パネルを照明する場合、更に他の態様として、第２のモードにより第２の光源を点灯するのに加え、第１の光源のうち、緑色光を発光する第２の半導体発光素子のみを点灯させて第２の表示パネルを照明することにより、第２の半導体発光素子から緑色光が発光され、また、第２の光源から青色光の成分が多い白色光が発光されて、それらの各光は混光され、その混光された白色光は色づきの少ない白色光に補正される。また、これにより、赤色光を発光する第１の半導体発光素子の経時劣化を遅らせることができると共に、第２の表示パネルを照明する照明光の輝度を高めることができる。
【００２４】
上記の電気光学装置の他の態様では、前記複数の光源は、前記複数の光源部が配置された前記導光板の一端面と対向する他端面に配置された補助光源を含み、前記制御部は、前記第２の光源及び前記補助光源のみを点灯させる第３のモードを有する。
【００２５】
この態様では、導光板の一端面に沿って配置された複数の光源に加えて、それと対向する他端面に補助光源を有する。よって、例えばある状況において、第２のモードによる照明では明るさが不足するような場合に、第３のモードとしてさらに第２の光源及び補助光源を点灯させることにより明るさを補うことが可能となる。
【００２６】
本発明の他の観点では、上記の電気光学装置を表示部に備える電子機器を構成することができる。また、その場合の好適な実施例では、前記電子機器は本体部と前記表示部とを備える折り畳み式携帯電話であり、前記本体部及び前記表示部が折り畳まれた時に、前記第１の表示パネルは前記表示部の前記本体部側の面に位置し、前記第２の表示パネルは前記表示部の前記本体部と反対側の面に位置する。これにより、一般にメインパネルとされる第１の表示パネルを使用する際には全ての光源を使用してその全体を照明することができ、一方、一般にサブパネルとされる第２の表示パネルを使用する際には一部の光源のみを使用してサブパネルの領域のみを効率的に照明することができる。これにより、サブパネル使用時に不必要に光源を点灯させることがなくなり、低消費電力化が可能となる。
【発明を実施するための最良の形態】
【００２７】
以下、図面を参照して本発明の好適な実施形態について説明する。
【００２８】
［第１実施形態］
図１は、本発明の第１実施形態に係る照明装置１を適用した液晶装置１００の概略構成を示す断面図である。なお、図１では、紙面縦方向（法線方向）をＺ方向と、また、紙面横方向をＸ方向と、また、紙面手前方向をＹ方向と夫々規定する。また、図１では、説明の便宜上、各構成要素を間隔を開けて図示しているが、実際にはそれらは図中のＺ方向に重ねられた状態で液晶装置１００を構成している。
【００２９】
この液晶装置１００は、光源部１５と導光板１０により構成される１つの照明装置１と、その照明装置１の一方の面側（上面側）に配置される第１の液晶パネル２０と、その照明装置１の他方の面側（下面側）に配置される第２の液晶表示パネル３０と、を有し、いわゆる両面表示方式の携帯電話等の電子機器に好適に用いられる。なお、照明装置１の詳細な構成は後述する。
【００３０】
光源部１５は、図６（ａ）にも示すように、半導体発光素子である複数のＬＥＤ（Light Emitting Diode）１６を備える。各ＬＥＤ１６から出射された光Ｌ１は図示のように導光板１０の入光端面１０ａを通じて当該導光板１０内へ入り、導光板１０の上下面、即ち第１出光面１０ｂ及び第２出光面１０ｃで反射を繰り返すことにより方向を変え、導光板１０の第１出光面１０ｂ及び第２出光面１０ｃを夫々透過して光Ｌ２及びＬ３として外部へ出射する。
【００３１】
第１の液晶表示パネル２０は、両面表示方式の携帯電話等において、文字、図形、画像などを表示するメイン表示パネルに相当し、Ｒ（赤）、Ｂ（青）、Ｇ１（緑１）、Ｇ２（緑２）の４色の着色領域を備える。このため、第１の液晶表示パネル２０は４色以上の色を表現することができる。なお、本発明は、上記の構成に限定されず、さらに色再現性を高めるために、第１の液晶表示パネル２０は、５色以上の着色領域を備えていても構わない。第１の液晶表示パネル２０は、一対の素子基板２１及びカラーフィルタ基板２２を枠状のシール材３を介して貼り合わせ、その内部に液晶を封入して液晶層４を形成してなるが、その構造の詳細な説明は後述する。
【００３２】
一方、第２の液晶表示パネル３０は、第１の液晶表示パネル２０よりも小型であり、第１の液晶表示パネル２０よりも表示領域が小さいパネルとなっている。第２の液晶表示パネル３０は、両面表示方式の携帯電話等において、時刻、電池残量、電波状況などの簡易な表示をするサブ表示パネル（メイン表示パネルの背面に設けられる小型の表示パネル）に相当し、Ｒ（赤）、Ｇ（緑）、Ｂ（青）の３色の着色領域を備える。このため、第２の液晶表示パネル３０は３色以上の色を表現することができる。なお、本発明は、上記の構成に限定されず、さらに色再現性を高めるために、第２の液晶表示パネル３０は、３色以上の着色領域を備えていても構わない。第２の液晶表示パネル３０も、一対の素子基板３１及びカラーフィルタ基板３２を枠状のシール材３を介して貼り合わせ、その内部に液晶を封入して液晶層４を形成してなるが、その構造の詳細な説明は後述する。
【００３３】
また、液晶装置１００において、照明装置１と第１の液晶表示パネル２０との間には、拡散シート１１、第１のプリズムシート１２、第２のプリズムシート１３及び遮光シート１４が設けられている。
【００３４】
拡散シート１１は、導光板１０の第１出光面１０ｂと対向する側に設けられ、その第１出光面１０ｂを透過した光Ｌ２を第１のプリズムシート１２側に拡散させて照明装置１の発光面内の明るさを均一化するなどの役割を有する。第１のプリズムシート１２は、拡散シート１１と対向する側に設けられ、その上面側に断面三角形状の複数のプリズム１２ｘを有し、且つ各プリズム１２ｘをＹ方向に延在させた形状を有する。かかる構造により、第１のプリズムシート１２は、拡散シート１１を透過した光Ｌ２を第２のプリズムシート１３側に集光させる役割を有する。第２のプリズムシート１３は、第１のプリズムシート１２と対向する側に設けられ、その上面側に断面三角形状の複数のプリズム１３ｘを有し、且つ各プリズム１３ｘをＸ方向に延在させた形状を有する。かかる構造により、第２のプリズムシート１３は、第１のプリズムシート１２を透過した光のうちＰ波の成分の光を透過させてＳ波の成分の光を第１のプリズムシート１２側に反射させ、第１の液晶表示パネル２０側に光Ｌ２として集光させる役割を有する。特に、本例では、第２のプリズムシート１３の各プリズム１３ｘの稜線の延在方向を、第１のプリズムシート１２の各プリズム１２ｘの稜線の延在方向と略直交するように設定しているので、それらの各プリズムシートにより、導光板１０側から出射された光Ｌ２の集光効率を向上させることができる。遮光シート１４は、例えば遮光性を有するテープであり、第１の液晶表示パネル２０と第２のプリズムシート１３との間において、少なくとも光源部１５側とその逆側に夫々設けられている。遮光シート１４は、照明装置１側から出射された不要な光を第１の液晶表示パネル２０側へ入射させるのを防止して、第１の液晶表示パネル２０の表示品位に悪影響を及ぼすのを防止する役割を有する。
【００３５】
一方、照明装置１と第２の液晶表示パネル３０との間には、拡散シート１７、第１のプリズムシート１８、第２のプリズムシート１９及び遮光シート１４が設けられている。
【００３６】
拡散シート１７は、導光板１０の第２出光面１０ｃと対向する側に設けられ、その第２出光面１０ｃを透過した光Ｌ３を第１のプリズムシート１８側に拡散させて照明装置１の発光面内の明るさを均一化するなどの役割を有する。第１のプリズムシート１８は、拡散シート１７と対向する側に設けられ、その上面側に断面三角形状の複数のプリズム１８ｘを有し、且つ各プリズム１８ｘをＹ方向に延在させた形状を有する。かかる構造により、第１のプリズムシート１８は、拡散シート１７を透過した光Ｌ３を第２のプリズムシート１９側に集光する役割を有する。第２のプリズムシート１９は、第１のプリズムシート１８と対向する側に設けられ、その上面側に断面三角形状の複数のプリズム１９ｘを有し、且つ各プリズム１９ｘをＸ方向に延在させた形状を有する。かかる構造により、第２のプリズムシート１９は、第１のプリズムシート１８を透過した光Ｌ３を第２の液晶表示パネル３０側に集光する役割を有する。特に、本例では、第２のプリズムシート１９の各プリズム１９ｘの稜線の延在方向を、第１のプリズムシート１８の各プリズム１８ｘの稜線の延在方向と略直交するように設定しているので、それらの各プリズムシートにより、導光板１０側から出射した光Ｌ３の集光効率を向上させることができる。遮光シート１４は、第２の液晶表示パネル３０と第２のプリズムシート１９との間において、少なくとも光源部１５側とその逆側の位置に夫々設けられている。遮光シート１４は、照明装置１側から出射された不要な光を第２の液晶表示パネル３０側へ入射させるのを防止して、第２の液晶表示パネル３０の表示品位に悪影響を及ぼすのを防止する役割を有する。
【００３７】
以上の構成を有する液晶装置１００では、光源部１５内の各ＬＥＤ１６から出射された光Ｌ１は、図１に示すように、導光板１０の入光端面１０ａを通じて導光板１０内へ入射する。そして、導光板１０内へ入射した光Ｌ１は、第１の液晶表示パネル２０側に位置する、導光板１０の第１出光面１０ｂと、第２の液晶表示パネル３０側に位置する、導光板１０の第２出光面１０ｃとの間で反射を繰り返すことにより、導光板１０内を入光端面１０ａと逆側のＸ方向へ伝播する。導光板１０内を伝播する光Ｌ１は、その第１出光面１０ｂとのなす角が臨界角を超えると、第１出光面１０ｂを透過して拡散シート１１側へ出光する。一方、導光板１０内を伝播する光Ｌ１は、第２出光面１０ｃとのなす角が臨界角を超えると、第２出光面１０ｃを透過して拡散シート１７側へ出光する。
【００３８】
ここで、拡散シート１１側へ出光した光は、当該拡散シート１１を透過することにより、第１のプリズムシート１２側へ拡散する。そして、その拡散した光の一部は、第１のプリズムシート１２の各プリズム１２ｘの傾斜面で屈折して進行方向が変えられ、法線方向に指向性を有する集光した光Ｌ２として第２のプリズムシート１３側へ出光する。そして、第２のプリズムシート１３側へ出光した光Ｌ２は、第２のプリズムシート１３の各プリズム１３ｘの作用によって法線方向により集光し、第１の液晶表示パネル２０側へ出光する。これにより、第１の液晶表示パネル２０は、文字、数字、図形等の画像を表示することができ、観測者は画像を視認することができる。
【００３９】
一方、拡散シート１７側へ出光した光は、当該拡散シート１７を透過することにより、第１のプリズムシート１８側へ拡散する。そして、その拡散した光の一部は、第１のプリズムシート１８の各プリズム１８ｘの傾斜面で屈折して進行方向が変えられ、法線方向に指向性を有する集光した光Ｌ３として第２のプリズムシート１９側へ出光する。そして、第２のプリズムシート１９側へ出光した光Ｌ３は、第２のプリズムシート１９の各プリズム１９ｘの作用によって法線方向により集光し、第２の液晶表示パネル３０側へ出光する。これにより、第２の液晶表示パネル３０は、文字、数字、図形等の画像を表示することができ、観測者は画像を視認することができる。
【００４０】
（第１の液晶表示パネルの構成）
次に、図２及び図３を参照して、上記した第１の液晶表示パネル２０の詳細な構成等について説明する。
【００４１】
図２は、メイン表示パネルとして機能する第１の液晶表示パネル２０の概略構成を模式的に示す平面図である。図２では、紙面手前側（観察側）にカラーフィルタ基板２２が、また、紙面奥側（照明装置１側）に素子基板３１が夫々配置されているが、本発明ではそれらの基板の配置関係は逆でも構わない。なお、図２では、紙面縦方向（列方向）をＹ方向と、また、紙面横方向（行方向）をＸ方向と、また、紙面手前方向（鉛直方向）をＺ方向と夫々規定する。また、図２において、Ｒ（赤）、Ｂ（青）、Ｇ１（緑１）、Ｇ２（緑２）の各色に対応する領域は１つのサブ画素領域ＳＧを示していると共に、Ｒ、Ｂ、Ｇ１、Ｇ２に対応する１行４列のサブ画素領域ＳＧは、カラー表示の最小単位となる１つの表示領域ＡＧ１を示している。ここで、Ｇ１（緑１）、Ｇ２（緑２）は、青から黄までの色相の中で選択された２種の色相である。本実施形態では、一例として、Ｇ１（緑１）は、一般的にＧで示される純粋な緑を示し、Ｇ２(緑２)は、黄緑を示すこととする。
【００４２】
図３は、図２の第１の液晶表示パネル２０における切断線Ａ−Ａ´に沿った１つの表示領域ＡＧ１に対応する拡大断面図である。図３に示すように、第１の液晶表示パネル２０は、素子基板３１と、その素子基板３１に対向して配置されるカラーフィルタ基板２２とが枠状のシール材３を介して貼り合わされ、そのシール材３で区画される領域に液晶が封入されて液晶層４が形成されてなる。
【００４３】
本実施形態に係る第１の液晶表示パネル２０は、両面表示方式の携帯電話等の電子機器用のメイン表示パネルに相当する。また、第１の液晶表示パネル２０は、Ｒ、Ｂ、Ｇ１、Ｇ２の４色を用いて構成されるカラー表示用の透過型液晶表示パネルであると共に、スイッチング素子の一例としてα−Ｓｉ型ＴＦＴ（Thin Film Transistor）素子を用いたアクティブマトリクス駆動方式の液晶表示パネルである。
【００４４】
まず、素子基板３１の構成について説明する。
【００４５】
素子基板３１は、主として、ガラス等によりなる第１基板７０と、その第１基板７０上に形成若しくは実装された、複数のソース線４２、複数のゲート線４３、複数のα−Ｓｉ型ＴＦＴ素子４７、複数の画素電極４４、ドライバＩＣ４０及び外部接続用配線４５と、を有する。
【００４６】
図２に示すように、素子基板３１は、カラーフィルタ基板２２の一辺側から外側へ張り出してなる張り出し領域４１を有しており、その張り出し領域４１上には、ドライバＩＣ４０が実装されている。ドライバＩＣ４０の入力側の端子（図示略）は、複数の外部接続用配線４５の一端側と電気的に接続されていると共に、複数の外部接続用配線４５の他端側はＦＰＣ（Flexible Printed Circuit）４９と電気的に接続されている。各ソース線４２は、Ｘ方向に適宜の間隔をおいてＹ方向に延在するように形成され、各ソース線４２の一端側は、ドライバＩＣ４０の出力側の端子（図示略）に電気的に接続されている。
【００４７】
各ゲート線４３は、Ｙ方向に延在するように形成された第１配線４３ａと、その第１配線４３ａの終端部から有効表示領域Ｖ１側に且つＸ方向と平行な方向に延在するように形成された第２配線４３ｂとを備えている。各ゲート線４３の第２配線４３ｂは、各ソース線４２と交差する方向に形成されており、各ゲート線４３の第１配線４３ａの一端側は、ドライバＩＣ４０の出力側の端子（図示略）に電気的に接続されている。各ソース線４２と各ゲート線４３の第２配線４３ｂの交差に対応する位置にはα−Ｓｉ型ＴＦＴ素子４７が設けられており、各α−Ｓｉ型ＴＦＴ素子４７は各ソース線４２、各ゲート線４３及び各画素電極４４等に電気的に接続されている。各α−Ｓｉ型ＴＦＴ素子４７及び各画素電極４４は、サブ画素領域ＳＧ毎に対応して設けられている。各画素電極４４は、例えばＩＴＯ（Indium-Tin Oxide）などの透明導電材料により形成されている。
【００４８】
１つの表示領域ＡＧ１がＸ方向及びＹ方向に複数個、マトリクス状に並べられた領域が有効表示領域Ｖ１（２点鎖線により囲まれる領域）である。この有効表示領域Ｖ１に、文字、数字、図形等の画像が表示される。なお、有効表示領域Ｖ１の外側の領域は表示に寄与しない額縁領域４８となっている。また、各ソース線４２、各ゲート線４３、各α−Ｓｉ型ＴＦＴ素子４７、及び各画素電極４４等の内面上には、図示しない配向膜が形成されている。
【００４９】
次に、カラーフィルタ基板２２の構成について説明する。
【００５０】
カラーフィルタ基板２２は、主として、ガラス等よりなる第２基板７１と、その第２基板７１上に形成された、遮光層（一般に「ブラックマトリクス」と呼ばれ、以下では、単に「ＢＭ」と略記する）及びＲ、Ｂ、Ｇ１、Ｇ２の４色の着色層６Ｒ、６Ｂ、６Ｇ１、６Ｇ２と、そのＢＭ及び着色層６Ｒ、６Ｂ、６Ｇ１、６Ｇ２上に形成された保護層９と、その保護層９上に形成された共通電極８と、を有する。
【００５１】
ＢＭは、各サブ画素領域ＳＧを区画する位置等に形成されている。Ｒ、Ｂ、Ｇ１、Ｇ２の各色のサブ画素領域ＳＧに対応する位置には、それぞれ着色層６Ｒ、６Ｂ、６Ｇ１、６Ｇ２が形成されている。この着色層６Ｒ、６Ｇ１、６Ｂ、６Ｇ２が、夫々の色のカラーフィルタとして機能する。なお、本発明では、１つの表示領域ＡＧ１における着色層６Ｒ、６Ｂ、６Ｇ１、６Ｇ２の配列順序に限定はない。また、以下の説明もしくは図面において、Ｒ、Ｂ、Ｇ１、Ｇ２の色を特定することなく構成要素を示す場合には、単に「着色層６」のように記し、Ｒ、Ｂ、Ｇ１、Ｇ２の色を区別して構成要素を示す場合には、例えば「着色層６Ｒ」のように記すこととする。共通電極８は、画素電極４４と同様にＩＴＯなどの透明導電材料からなり、カラーフィルタ基板２２の略一面に亘って形成されている。共通電極８は、シール材３の隅の領域Ｅ１において配線４６の一端側と電気的に接続されていると共に、当該配線４６の他端側は、ドライバＩＣ４０のＣＯＭ端子（接地用端子）と電気的に接続されている。また、共通電極８等の内面上には、図示しない配向膜が形成されている。
【００５２】
以上の構成を有する第１の液晶表示パネル２０では、後述する電子機器と電気的に接続されたＦＰＣ４９側からの信号及び電力等に基づき、ドライバＩＣ４０によって、Ｇ１、Ｇ２、・・・、Ｇｍ−１、Ｇｍ（ｍは自然数）の順にゲート線４３が順次排他的に１本ずつ選択されるとともに、選択されたゲート線４３には、選択電圧のゲート信号が供給される一方、他の非選択のゲート線４３には、非選択電圧のゲート信号が供給される。そして、ドライバＩＣ４０は、選択されたゲート線４３に対応する位置に存在する画素電極４４に対し、表示内容に応じたソース信号を、それぞれ対応するＳ１、Ｓ２、・・・、Ｓｎ−１、Ｓｎ（ｎは自然数）のソース線４２及びα−Ｓｉ型ＴＦＴ素子４７を介して供給する。その結果、液晶層４の配向状態が制御され、第１の液晶表示パネル２０の表示状態が、非表示状態または中間表示状態に切り替えられることとなる。これにより、有効表示領域Ｖ１内において所望の画像を表示することができる。
【００５３】
そして、第１の液晶表示パネル２０において透過型表示がなされる場合、照明装置１側から出射された照明光Ｌ２は、図３の矢印方向に沿って進行し、画素電極１０及びＲ、Ｂ、Ｇ１、Ｇ２の４色の着色層６等を通過して観察側へ至る。こうして、所望のカラー表示画像が観察者により視認される。
【００５４】
（第２の液晶表示パネルの構成）
次に、図４及び図５を参照して、上記した第２の液晶表示パネル３０の詳細な構成等について説明する。なお、第１の液晶表示パネル２０と同一の構成要素については同一の符号を付し、その説明は簡略化する。
【００５５】
図４は、サブ表示パネルとして機能する第２の液晶表示パネル３０の概略構成を模式的に示す平面図である。図４では、紙面手前側（観察側）にカラーフィルタ基板３２が、また、紙面奥側（照明装置１側）に素子基板３１が夫々配置されているが、本発明ではそれらの基板の配置関係は逆でも構わない。なお、図４では、紙面縦方向（列方向）をＹ方向と、また、紙面横方向（行方向）をＸ方向と、また、紙面手前方向（鉛直方向）をＺ方向と夫々規定する。また、図４において、Ｒ（赤）、Ｇ（緑）、Ｂ（青）の各色に対応する領域は１つのサブ画素領域ＳＧを示していると共に、Ｒ、Ｇ、Ｂに対応する１行３列のサブ画素領域ＳＧは、カラー表示の最小単位となる１つの表示領域ＡＧ２を示している。
【００５６】
図５は、図４の第２の液晶表示パネル３０における切断線Ｂ−Ｂ´に沿った１つの表示領域ＡＧ２に対応する拡大断面図である。図５に示すように、第２の液晶表示パネル３０は、素子基板３１と、その素子基板３１に対向して配置されるカラーフィルタ基板３２とが枠状のシール材３を介して貼り合わされ、そのシール材３で区画される領域に液晶が封入されて液晶層４が形成されてなる。
【００５７】
本実施形態に係る第２の液晶表示パネル３０は、両面表示方式の携帯電話等の電子機器用のサブ表示パネルに相当する。また、第２の液晶表示パネル３０は、Ｒ、Ｇ、Ｂの３色を用いて構成されるカラー表示用の透過型液晶表示パネルであると共に、スイッチング素子の一例としてα−Ｓｉ型ＴＦＴ素子を用いたアクティブマトリクス駆動方式の液晶表示パネルである。
【００５８】
まず、素子基板３１の構成について説明する。
【００５９】
素子基板３１は、主として、ガラス等によりなる第１基板７２と、その第１基板７２上に形成若しくは実装された、複数のソース線５２、複数のゲート線５３、複数のα−Ｓｉ型ＴＦＴ素子５７、複数の画素電極５５、ドライバＩＣ５０及び外部接続用配線５５と、を有する。
【００６０】
図４に示すように、素子基板３１は、カラーフィルタ基板３２の一辺側から外側へ張り出してなる張り出し領域５１を有しており、その張り出し領域５１上には、ドライバＩＣ５０が実装されている。ドライバＩＣ５０の入力側の端子（図示略）は、複数の外部接続用配線５５の一端側と電気的に接続されていると共に、複数の外部接続用配線５５の他端側はＦＰＣ５９と電気的に接続されている。各ソース線５２は、Ｘ方向に適宜の間隔をおいてＹ方向に延在するように形成され、各ソース線５２の一端側は、ドライバＩＣ５０の出力側の端子（図示略）に電気的に接続されている。
【００６１】
各ゲート線５３は、Ｙ方向に延在するように形成された第１配線５３ａと、その第１配線５３ａの終端部から有効表示領域Ｖ２側に且つＸ方向と平行な方向に延在するように形成された第２配線５３ｂとを備えている。各ゲート線５３の第２配線５３ｂは、各ソース線５２と交差する方向に形成されており、各ゲート線５３の第１配線５３ａの一端側は、ドライバＩＣ５０の出力側の端子（図示略）に電気的に接続されている。各ソース線５２と各ゲート線５３の第２配線５３ｂの交差に対応する位置にはα−Ｓｉ型ＴＦＴ素子５７が設けられており、各α−Ｓｉ型ＴＦＴ素子５７は各ソース線５２、各ゲート線５３及び各画素電極５５等に電気的に接続されている。各α−Ｓｉ型ＴＦＴ素子５７及び各画素電極５５は、サブ画素領域ＳＧ毎に対応して設けられている。各画素電極５５は、例えばＩＴＯなどの透明導電材料により形成されている。
【００６２】
１つの表示領域ＡＧ２がＸ方向及びＹ方向に複数個、マトリクス状に並べられた領域が有効表示領域Ｖ２（２点鎖線により囲まれる領域）である。この有効表示領域Ｖ２に、文字、数字、図形等の画像が表示される。第２の液晶表示パネル３０の有効表示領域Ｖ２の面積は、第１の液晶表示パネル２０の有効表示領域Ｖ１の面積より小さい。なお、有効表示領域Ｖ２の外側の領域は表示に寄与しない額縁領域５８となっている。また、各ソース線５２、各ゲート線５３、各α−Ｓｉ型ＴＦＴ素子５７、及び各画素電極５５等の内面上には、図示しない配向膜が形成されている。
【００６３】
次に、カラーフィルタ基板３２の構成について説明する。
【００６４】
カラーフィルタ基板３２は、主として、ガラス等よりなる第２基板７３と、その第２基板７３上に形成された、ＢＭ及びＲ（赤）、Ｇ（緑）、Ｂ（青）の３色の着色層６Ｒ、６Ｇ、６Ｂと、そのＢＭ及び着色層６Ｒ、６Ｇ、６Ｂ上に形成された保護層９と、その保護層９上に形成された共通電極８と、を有する。
【００６５】
ＢＭは、各サブ画素領域ＳＧを区画する位置等に形成されている。Ｒ、Ｇ、Ｂの各色のサブ画素領域ＳＧに対応する位置には、それぞれ着色層６Ｒ、６Ｇ、６Ｂが形成されている。この着色層６Ｒ、６Ｇ、６Ｂが、夫々の色のカラーフィルタとして機能する。なお、本発明では、１つの表示領域ＡＧ２における着色層６Ｒ、６Ｇ、６Ｂの配列順序に限定はない。共通電極８は、画素電極５５と同様にＩＴＯなどの透明導電材料からなり、カラーフィルタ基板３２の略一面に亘って形成されている。共通電極８は、シール材３の隅の領域Ｅ２において配線５６の一端側と電気的に接続されていると共に、当該配線５６の他端側は、ドライバＩＣ５０のＣＯＭ端子（接地用端子）と電気的に接続されている。また、共通電極８等の内面上には、図示しない配向膜が形成されている。
【００６６】
以上の構成を有する第２の液晶表示パネル３０では、後述する電子機器と電気的に接続されたＦＰＣ５９側からの信号及び電力等に基づき、ドライバＩＣ５０によって、Ｇ１、Ｇ２、・・・、Ｇｍ−１、Ｇｍ（ｍは自然数）の順にゲート線５３が順次排他的に１本ずつ選択されるとともに、選択されたゲート線５３には、選択電圧のゲート信号が供給される一方、他の非選択のゲート線５３には、非選択電圧のゲート信号が供給される。そして、ドライバＩＣ５０は、選択されたゲート線５３に対応する位置に存在する画素電極５５に対し、表示内容に応じたソース信号を、それぞれ対応するＳ１、Ｓ２、・・・、Ｓｎ−１、Ｓｎ（ｎは自然数）のソース線５２及びα−Ｓｉ型ＴＦＴ素子５７を介して供給する。その結果、液晶層４の配向状態が制御され、第２の液晶表示パネル３０の表示状態が、非表示状態または中間表示状態に切り替えられることとなる。これにより、有効表示領域Ｖ２内において所望の画像を表示することができる。
【００６７】
そして、第２の液晶表示パネル３０において透過型表示がなされる場合、照明装置１側から出射された照明光Ｌ３は、図５の矢印方向に沿って進行し、画素電極１０及びＲ、Ｇ、Ｂの３色の着色層６等を通過して観察側へ至る。こうして、所望のカラー表示画像が観察者により視認される。
【００６８】
以上のように本発明の第１実施形態では、液晶装置１００は、光源部１５と導光板１０により構成される１つの照明装置１と、その照明装置１の一方の面側に配置され、Ｒ、Ｂ、Ｇ１、Ｇ２の４色を表現可能な第１の液晶パネル２０と、その照明装置１の他方の面側に配置され、Ｒ、Ｇ、Ｂの３色を表現可能な第２の液晶表示パネル３０と、を有して構成される。
【００６９】
これにより、１つの照明装置により２つの表示パネルを照明することができ、電気光学装置の低コスト化、薄型化などが可能となる。また、第１の液晶表示パネル２０では、人間の視感度が高い緑色の光の輝度の低下が抑制され、色再現域の高い表示を行うことができる。その結果、第１の液晶表示パネル２０は、両面表示方式の携帯電話等の電子機器においてメイン表示パネルとして好適に用いることができる。一方、第２の液晶表示パネル３０は、Ｒ、Ｇ、Ｂの３色にて構成されるため、第１の液晶表示パネル２０と比べると色再現性はそれ程高くない。そのため、第２の液晶表示パネル３０は、両面表示方式の携帯電話等の電子機器において、時刻、電池残量、電波状況などの簡単な表示情報を表示するサブ表示パネルとして好適に用いることができる。よって、第１実施形態の液晶装置１００は、両面表示方式の携帯電話等の電子機器に好適に用いることができる。
【００７０】
（照明装置における光源部の構成）
次に、図６（ａ）及び（ｂ）を参照して、上記した照明装置１における光源部１５の構成等について説明する。図６（ａ）は、照明装置１の平面構成を示す。なお、図６（ａ）において、一点鎖線にて囲まれる領域は第１の液晶表示パネルの２０の有効表示領域Ｖ１を示していると共に、破線にて囲まれる領域は第２の液晶表示パネル３０の有効表示領域Ｖ２を示している。
【００７１】
上述したように照明装置１は、光源部１５と導光板１０を備えて構成されるが、そのうち光源部１５内には、４個のＬＥＤ１６ａ〜１６ｄが光源部１５の一端面（入光端面１０ａ）に沿って略等間隔に設けられている。なお、図６（ａ）に示すＬＥＤ１６の設定数及び配置は単なる例示であり、本発明の適用は図示の態様に限定されるものではない。
【００７２】
複数のＬＥＤ１６のうち、ＬＥＤ１６ａ及び１６ｄは、ＬＥＤ１６ｂ及び１６ｃを挟む位置に設けられている。ＬＥＤ１６ａ及びＬＥＤ１６ｄは、それぞれ１つのＬＥＤであるが、それらの各内部には、Ｒ（赤）、Ｇ（緑）、Ｂ（青）の各色の半導体発光素子が組み込まれている。即ち、ＬＥＤ１６ａ及びＬＥＤ１６ｄは、図示を省略するが、それぞれＲ（赤）色光を発光する赤色ＬＥＤ、Ｇ（緑）色光を発光する緑色ＬＥＤ、及びＢ（青）色光を発光する青色ＬＥＤを同数ずつ有する、シングルチップ型のＬＥＤ（以下、「ＲＧＢＬＥＤ」とも称する）として構成されている。したがって、ＬＥＤ１６ａ及びＬＥＤ１６ｄの各々によって発光される光は、赤色光と緑色光と青色光が混光した白色光Ｌｒｇｂであり、ＬＥＤ１６ａ及びＬＥＤ１６ｄは、図示のように、導光板１０の方向にその白色光Ｌｒｇｂを出射する。
【００７３】
一方、複数のＬＥＤ１６のうち、残りのＬＥＤ１６ｂ及びＬＥＤ１６ｃは、図示を省略するが、それぞれ青色光を発光する青色ＬＥＤと、ＹＡＧ（イットリウム・アルミニウム・ガーネット）系蛍光体より構成される。ここで、青色ＬＥＤより出光された青色光は、ＹＡＧ系蛍光体を励起して、黄色光を生成する。したがって、ＬＥＤ１６ｂ及びＬＥＤ１６ｃの各々によって発光される光は、青色光と、当該青色光がＹＡＧ系蛍光体を励起して生成された黄色光とが混光した白色光であり、ＬＥＤ１６ｂ及びＬＥＤ１６ｃは、図示のように、導光板１０の方向にその白色光Ｌｙｂを出射する。
【００７４】
（光源部の点灯切替制御回路）
上記したように、第１の液晶表示パネル２０は、Ｒ、Ｂ、Ｇ１、Ｇ２の４色の着色層６Ｒ、６Ｂ、６Ｇ１、６Ｇ２を有するため、両面表示方式の携帯電話等の電子機器において、色再現性の高い表示が要求されるメイン表示パネルとして用いられるのに対し、第２の液晶表示パネル３０は、Ｒ、Ｇ、Ｂの３色の着色層６Ｒ、６Ｇ、６Ｂを有するため、色再現性の高い表示はそれ程必要とされないサブ表示パネルとして用いられる。
【００７５】
したがって、第１の液晶表示パネル２０を用いる場合には、複数のＬＥＤ１６のうち、少なくともＲＧＢＬＥＤ、即ちＬＥＤ１６ａ及びＬＥＤ１６ｄを点灯させて第１の液晶表示パネル２０を照明すれば、ＲＧＢＬＥＤから発光される赤色光、緑色光及び青色光が、第１の液晶表示パネル２０におけるＲ、Ｂ、Ｇ１、Ｇ２の４色の着色層６Ｒ、６Ｂ、６Ｇ１、６Ｇ２を透過することで、より色再現性の高い表示が得られることが期待できる。
【００７６】
一方、第２の液晶表示パネル３０を用いる場合には、ＲＧＢＬＥＤが経時変化し易い点を考慮して、ＲＧＢＬＥＤを用いずにＬＥＤ１６ｂ及びＬＥＤ１６ｃのみを点灯させて第２の液晶表示パネル３０を照明すれば、次のような作用効果が期待できる。
【００７７】
即ち、ＲＧＢＬＥＤでは、Ｒ、Ｇ、Ｂの各色のＬＥＤから出射された光のスペクトル（光度）は経時変化などに伴って変化する性質を有する。そのため、その出射光のホワイトバランスも初期設定の状態から次第に崩れていってしまい、当然に、第１の液晶表示パネル２０の表示時のホワイトバランスも崩れていってしまうことになる。そうすると、第１の液晶表示パネル２０を色再現性の高い表示が要求されるメイン表示パネルとして用いることができなくなってしまう。そこで、第２の液晶表示パネル３０を用いる場合には、経時変化によるＲＧＢＬＥＤの消耗をできる限り防止して、第１の液晶表示パネル２０の初期設定時における良好なホワイトバランスを長期間に亘って保つため、ＲＧＢＬＥＤを用いずにＬＥＤ１６ｂ及びＬＥＤ１６ｃのみを点灯させて第２の液晶表示パネル３０を照明装置１により照明する。これにより、ＲＧＢＬＥＤの経時劣化を遅らせつつ、光源部１５の省電力化が図れる。
【００７８】
図６（ｂ）は、上述した４個のＬＥＤ１６ａ〜１６ｄの点灯切替制御を実行する、光源部の点灯切替制御回路の一例を示す。
【００７９】
この点灯切替制御回路では、図６（ｂ）に示す４個のＬＥＤ１６ａ〜１６ｄのうち、ＬＥＤ１６ｂとＬＥＤ１６ｃを直列接続していると共に、ＬＥＤ１６ａとＬＥＤ１６ｄを直列接続し、さらに、それらを並列接続して電源Ｖccとグランド（GND）とに接続している。そして、その並列回路と電源Ｖccとを接続し、当該電源ＶｃｃとＬＥＤ１６ｂの間にはスイッチＳＷ１を設け、さらに当該電源ＶｃｃとＬＥＤ１６ａとの間にはスイッチＳＷ２を設けている。スイッチＳＷ１及びＳＷ２のオン／オフの切替は制御部８０からの制御信号Ｓｃ１及びＳｃ２により行われる。
【００８０】
制御部８０は外部から切替信号を受け取り、それに応じて制御信号Ｓｃ１及びＳｃ２を出力する。切替信号がメイン表示パネルたる第１の液晶表示パネル２０を点灯させるモード（以下「メイン表示モード」と呼ぶ。）を示す場合、制御部８０はスイッチＳＷ２をオンし、かつ、スイッチＳＷ１をオフするように制御信号Ｓｃ１及びＳｃ２を出力する。これにより、４個のＬＥＤ１６のうち、ＲＧＢＬＥＤとしてのＬＥＤ１６ａ及び１６ｄのみに電流が供給されて、ＬＥＤ１６ａ及び１６ｄが発光する。これにより、図６（ａ）に示すようにＬＥＤ１６ａ及び１６ｄの各々から導光板１０へ向けて白色光Ｌｒｇｂが出射され、上述した原理により、図１、図３及び図６（ａ）に示す第１の液晶表示パネル２０の有効表示領域Ｖ１の全体が照明される。これにより、ＲＧＢＬＥＤから発光される赤色光、緑色光及び青色光が、第１の液晶表示パネル２０におけるＲ、Ｂ、Ｇ１、Ｇ２の４色の着色層６Ｒ、６Ｂ、６Ｇ１、６Ｇ２を透過することで、より色再現性の高い表示が得られる。
【００８１】
なお、これに限らず、本発明では、消費電力等がそれ程問題とならない場合、切替信号がメイン表示モードを示す場合には、制御部８０がスイッチＳＷ１及びＳＷ２をともにオンするように制御信号Ｓｃ１及びＳｃ２を出力するようにしても構わない。これにより、４個のＬＥＤ１６全てに電流が供給されて、ＬＥＤ１６ａ〜１６ｄの全てが発光し、第１の液晶表示パネル２０の輝度を向上させることができる。
【００８２】
一方、切替信号がサブ表示パネルたる第２の液晶表示パネル３０を点灯させるモード（以下、「サブ表示モード」と呼ぶ。）を示す場合、制御部８０はスイッチＳＷ１をオンし、かつ、スイッチＳＷ２をオフするように制御信号Ｓｃ１及びＳｃ２を出力する。これにより、図６（ｂ）に示すように、ＬＥＤ１６ｂ及び１６ｃのみに電流が供給されて、ＬＥＤ１６ｂ及び１６ｃが発光する。これにより、図７（ａ）に示すようにＬＥＤ１６ｂ及び１６ｃの各々から導光板１０へ向けて白色光Ｌｙｂが出射され、上述した原理により、図１、図５及び図６（ａ）に示す第２の液晶表示パネル３０の有効表示領域Ｖ２の全体が照明される。このように、サブ表示モードの場合には、ＲＧＢＬＥＤを用いずにＬＥＤ１６ｂ及び１６ｃのみにより第２の液晶表示パネル３０の有効表示領域Ｖ２の照明を行うことで、経時変化によるＲＧＢＬＥＤの消耗をできる限り防止できると共に、第１の液晶表示パネル２０の初期設定時における良好なホワイトバランスを長期間に亘って保つことができる。
【００８３】
なお、これに限らず、本発明では、図７（ｂ）に示すように、照明装置１ａにおいてＬＥＤ１６ｂ及び１６ｃのうち、いずれか一方の１つのＬＥＤ（ＬＥＤ１６ｅ）を光源部１５の略中央位置に設け、切替信号がサブ表示モードを示す場合に、その１つのＬＥＤ１６ｅのみを発光させて、第２の液晶表示パネル３０の有効表示領域Ｖ２の全体を照明するように構成しても構わない。
【００８４】
また、メイン表示モードと、サブ表示モードのいずれかを指定する切替信号は、第１実施形態の液晶装置１００を搭載した携帯電話などの電子機器の設計に応じて発生させることができる。一般的には、折り畳み式携帯電話の場合、表示部を開いてメイン表示パネルを露出させた状態では第１の液晶表示パネル２０のみを照明し、表示部を閉じた状態ではサブ表示パネルたる第２の液晶表示パネル３０のみを照明する。
【００８５】
この切替信号は、携帯電話の本体部と表示部とをつなぐヒンジなどに設けられた開閉検出機構などにより生成することができる。また、本体部と表示部の開閉状態に応じてメイン表示モードとサブ表示モードを切り替える他に、例えばユーザによる特定のボタンの操作に応じて表示モードを切り替えたり、メイン表示パネル又はサブ表示パネルの照明開始から所定時間経過後に自動的に照明装置をオフとする場合もある。これらの場合は、ユーザによる携帯電話の操作ボタンの操作や、経過時間に基づいて携帯電話内の制御部などが切替信号を出力することになる。なお、本発明では、表示モードの切替信号の生成方法は上記の例に限定されることはなく、種々の条件に従ってメイン表示モードとサブ表示モードを切り替える場合に適用が可能である。
【００８６】
（照明装置の他の実施例１）
次に、照明装置の他の実施例１の構成等について説明する。なお、以下では、第１実施形態と同一の要素については同一の符号を付し、その説明は省略又は簡略化する。
【００８７】
図８（ａ）は、他の実施例１に係る照明装置１ｂの構成を示す平面図である。
【００８８】
上記の第１実施形態に係る照明装置１では、ＲＧＢＬＥＤとしてのＬＥＤ１６ａ及び１６ｄを夫々ＬＥＤ１６ｂ及び１６ｃの両側に設け、ＬＥＤ１６ａ及び１６ｄは、それぞれ赤色光を発光する赤色ＬＥＤ、緑色光を発光する緑色ＬＥＤ、及び青色光を発光する青色ＬＥＤを同数ずつ有する、シングルチップ型のＲＧＢＬＥＤとして構成されていた。
【００８９】
これに対して、第２実施形態に係る照明装置１ｂでは、ＬＥＤ１６ｂ及び１６ｃの両側に、それぞれ、赤色光を発光する赤色ＬＥＤ１６ｄｒ及び１６ａｒ、緑色光を発光する緑色ＬＥＤ１６ｄｇ及び１６ａｇ、並びに、青色光を発光する青色ＬＥＤ１６ｄｂ及び１６ａｂを設けている。なお、本発明では、赤色光を発光する赤色ＬＥＤ１６ｄｒ及び１６ａｒ、緑色光を発光する緑色ＬＥＤ１６ｄｇ及び１６ａｇ、並びに、青色光を発光する青色ＬＥＤ１６ｄｂ及び１６ａｂの配列順序に特に限定はない。
【００９０】
かかる構成によれば、赤色ＬＥＤ１６ｄｒ、緑色ＬＥＤ１６ｄｇ、及び青色ＬＥＤ１６ｄｂを夫々発光させることにより、赤色光Ｌｒと、緑色光Ｌｇと、青色光Ｌｂとが混光され、白色光を得ることができる。同様に、赤色ＬＥＤ１６ａｒ、緑色ＬＥＤ１６ａｇ、及び青色ＬＥＤ１６ａｂを夫々発光させることにより、赤色光Ｌｒと、緑色光Ｌｇと、青色光Ｌｂとが混光され、白色光を得ることができる。
【００９１】
図８（ｂ）は、赤色ＬＥＤ１６ｄｒ及び１６ａｒ、緑色ＬＥＤ１６ｄｇ及び１６ａｇ、青色ＬＥＤ１６ｄｂ及び１６ａｂ、並びに、ＬＥＤ１６ｂ及び１６ｃの点灯切替制御を実行する、照明装置の他の実施例１に係る光源部の点灯切替制御回路の一例を示す。
【００９２】
この光源部の点灯切替制御回路は、基本的には、第１実施形態に係る光源部の点灯切替制御回路と略同様であるが、その両者は次の点が相違する。
【００９３】
即ち、他の実施例１では、第１実施形態に係る光源部の点灯切替制御回路において、ＬＥＤ１６ａを、赤色ＬＥＤ１６ｄｒと、緑色ＬＥＤ１６ｄｇと、青色ＬＥＤ１６ｄｂとの並列回路に置換し、さらに、スイッチＳＷ２と赤色ＬＥＤ１６ｄｒの間にスイッチＳＷ３を設け、スイッチＳＷ２と緑色ＬＥＤ１６ｄｇの間にスイッチＳＷ４を設け、スイッチＳＷ２と青色ＬＥＤ１６ｄｂの間にスイッチＳＷ５を設けている。また、第１実施形態に係る光源部の点灯切替制御回路において、ＬＥＤ１６ｄを、赤色ＬＥＤ１６ａｒと、緑色ＬＥＤ１６ａｇと、青色ＬＥＤ１６ａｂとの並列回路に置換し、さらに、スイッチＳＷ２と赤色ＬＥＤ１６ａｒの間にスイッチＳＷ６を設け、スイッチＳＷ２と緑色ＬＥＤ１６ａｇの間にスイッチＳＷ７を設け、スイッチＳＷ２と青色ＬＥＤ１６ａｂの間にスイッチＳＷ８を設けている。また、制御部８０は、外部から切替信号を受け取り、それに応じて制御信号Ｓｃ１及びＳｃ２に加え、制御信号Ｓｃ３〜Ｓｃ８を出力する。
【００９４】
以上の構成において、切替信号がメイン表示モードを示す場合には、制御部８０はスイッチＳＷ２〜ＳＷ８を全てオンし、かつ、スイッチＳＷ１をオフするように制御信号Ｓｃ１〜Ｓｃ８を出力する。これにより、赤色ＬＥＤ１６ｄｒ及び１６ａｒ、緑色ＬＥＤ１６ｄｇ及び１６ａｇ、青色ＬＥＤ１６ｄｂ及び１６ａｂのみに電流が供給されて、それらの各ＬＥＤから白色光が発光される。これにより、第１の液晶表示パネル２０の有効表示領域Ｖ１の全体が照明され、色再現性の高い表示を得ることができる。
【００９５】
なお、これに限らず、本発明では、消費電力等がそれ程問題とならない場合、切替信号がメイン表示モードを示す場合には、制御部８０がスイッチＳＷ１〜ＳＷ８を全てオンするように制御信号Ｓｃ１〜Ｓｃ８を出力するようにしても構わない。これにより、赤色ＬＥＤ１６ｄｒ及び１６ａｒ、緑色ＬＥＤ１６ｄｇ及び１６ａｇ、青色ＬＥＤ１６ｄｂ及び１６ａｂ、並びに、ＬＥＤ１６ｂ及び１６ｃの全てに電流が供給されて、それらの各ＬＥＤが発光し、色再現性の高い表示を得ることができると同時に、第１の液晶表示パネル２０の輝度を向上させることができる。
【００９６】
一方、切替信号がサブ表示モードを示す場合、制御部８０はスイッチＳＷ１をオンし、かつ、スイッチＳＷ２をオフするように制御信号Ｓｃ１及びＳｃ２を出力する。これにより、上記した第１実施形態と同様の作用効果を得ることができる。
【００９７】
（照明装置の他の実施例２）
次に、照明装置の他の実施例２の構成等について説明する。なお、以下では、第１実施形態及び照明装置の他の実施例１と同一の要素については同一の符号を付し、その説明は省略又は簡略化する。
【００９８】
照明装置の他の実施例２に係る、照明装置１ｃの構成及び光源部の点灯切替制御回路の構成は夫々照明装置の他の実施例１と同様であるが、切替信号がサブ表示モードを示す場合の光源部の点灯切替制御の方法が異なる。
【００９９】
上記したように、切替信号がサブ表示モードを示す場合、即ち第２の液晶表示パネル３０を点灯させるモードの場合には、点灯切替制御回路はＬＥＤ１６ｂ及び１６ｃのみを発光させるため、第２の液晶表示パネル３０を照明する光は、青色光の成分が多い白色光となる。つまり、第２の液晶表示パネル３０を照明する光は、青味がかった白色光となる可能性がある。
【０１００】
そこで、そのような不具合の発生を防止するため、他の実施例２では、第２の液晶表示パネル３０を点灯させるモードの場合、図８（ｂ）の点灯切替制御回路において、制御部８０は、青色光を発光する青色ＬＥＤ１６ｄｂ及び１６ａｂのみオフして、その他のＬＥＤを全てオンとする。具体的には、この場合、制御部８０は、図８（ｂ）の点灯切替制御回路において、スイッチＳＷ１〜ＳＷ４、ＳＷ６、ＳＷ７をオンするように制御信号Ｓｃ１〜Ｓｃ４、Ｓｃ６、Ｓｃ７を出力すると共に、スイッチＳＷ５及びＳＷ８をオフするように制御信号Ｓｃ５及びＳｃ８を出力する。これにより、図９（ａ）に示すように、赤色ＬＥＤ１６ｄｒ及び１６ａｒの各々から赤色光Ｌｒが発光され、また、緑色ＬＥＤ１６ｄｇ及び１６ａｇの各々から緑色光Ｌｇが発光され、また、ＬＥＤ１６ｂ及び１６ｃの各々から青色光の成分が多い白色光Ｌｙｂが発光されて、それらの各光は混光され、その混光された白色光は純白色光に近づく、つまりＬＥＤ１６ｂ及び１６ｃに赤色光及び緑色光が混光されることで色づきの少ない白色光に補正される。その結果、照明装置１ｃは色づきのない白色光を用いて、第２の液晶表示パネル３０を照明することができる。
【０１０１】
なお、緑色ＬＥＤ１６ｄｇ及び１６ａｇにより発光される緑色光は明るいので照明光の全体的な輝度を高める役割を有すると共に、赤色ＬＥＤ１６ｄｒ及び１６ａｒ、緑色ＬＥＤ１６ｄｇ及び１６ａｇ、並びに青色ＬＥＤ１６ｄｂ及び１６ａｂのなかで、赤色ＬＥＤ１６ｄｒ及び１６ａｒは最も経時劣化が早い性質を有する。したがって、この点を考慮すると、第２の液晶表示パネル３０を点灯させるモードの場合、図８（ｂ）の点灯切替制御回路において、制御部８０は、青色光を発光する青色ＬＥＤ１６ｄｂ及び１６ａｂに加え、赤色光を発光する赤色ＬＥＤ１６ｄｒ及び１６ａｒをもオフして、その他のＬＥＤを全てオンとするのが好ましい。即ち、この場合、照明装置１ｃでは、図９（ｂ）に示すように、緑色ＬＥＤ１６ｄｇ及び１６ａｇの各々から緑色光Ｌｇが発光され、また、ＬＥＤ１６ｂ及び１６ｃの各々から青色光の成分が多い白色光Ｌｙｂが発光されて、それらの各光は混光され、その混光された白色光は色づきの少ない白色光に補正される。また、これにより、赤色ＬＥＤ１６ｄｒ及び１６ａｒの経時劣化を遅らせることができると共に、第２の液晶表示パネル３０を照明する照明光の輝度を高めることができる。
【０１０２】
（照明装置の他の実施例３）
次に、照明装置の他の実施例３の構成等について説明する。なお、以下では、第１実施形態等と同一の要素については同一の符号を付し、その説明は省略又は簡略化する。
【０１０３】
図１０（ａ）は、他の実施例３に係る照明装置１ｄの平面図を示す。図示のように、この照明装置１ｄでは、光源部１５内に２個のＬＥＤ１６ｒｇｂ及び１６ｙｂを備える。２個のＬＥＤ１６ｒｇｂ及び１６ｙｂは、導光板１の一端面（入光端面１０ａ）側の両端の位置に各々設けられている。ここで、ＬＥＤ１６ｒｇｂは、白色光を生成するシングルチップ型のＲＧＢＬＥＤであり、ＬＥＤ１６ｙｂは、青色光を発光する青色ＬＥＤと、ＹＡＧ系蛍光体より構成され、白色光を生成するＬＥＤである。メイン表示モードでは、２個のＬＥＤ１６ｒｇｂ及び１６ｙｂを両方とも点灯、或いはＬＥＤ１６ｒｇｂのみ点灯させてメイン表示パネルたる第１の液晶表示パネル２０を照明する。一方、サブ表示モードでは、２個のＬＥＤ１６ｒｇｂ及び１６ｙｂのうちいずれか一方のみを点灯させ（図１０（ａ）では、一例としてＬＥＤ１６ｙｂを点灯させている）、その発光する光のみによりサブ表示パネルたる第２の液晶表示パネル３０を照明する。これにより、サブ表示モードでは、２個のＬＥＤ１６ｒｇｂ及び１６ｙｂのうち、いずれか一方のＬＥＤを消灯させるので、低消費電力化が図られる。
【０１０４】
なお、サブ表示モードにおいて常に一方のＬＥＤのみを点灯させることとすると、そのＬＥＤのみが消耗することとなるので、サブ表示モードにモード変更がなされる度ごとに、直前に使用したＬＥＤと異なる側のＬＥＤを点灯させることとしてもよい。つまり、１回目のサブ表示モードではＬＥＤ１６ｒｇｂのみを点灯させ、２回目のサブ表示モードではＬＥＤ１６ｙｂのみを点灯させ、３回目のサブ表示モードでは再びＬＥＤ１６ｒｇｂのみを点灯させる、といった具合に、点灯させる側のＬＥＤを選択してもよい。
【０１０５】
かかる照明装置１ｄにおける、光源部の点灯切替制御回路としては、２個のＬＥＤ１６ｒｇｂ及び１６ｙｂのうちのいずれか一方又はその両方に直列にスイッチを設け、２つのＬＥＤを点灯させる場合と一方のＬＥＤのみを点灯させる場合とを制御部８０が切り替えるようにすればよい。例えば、光源部の点灯切替制御回路としては、図１０（ｂ）に示すように、ＬＥＤ１６ｒｇｂとＬＥＤ１６ｙｂとを並列接続して、その並列接続回路を電源Ｖｃｃに接続し、ＬＥＤ１６ｙｂ側にスイッチＳＷ１を、また、ＬＥＤ１６ｒｇｂ側にスイッチＳＷ２を夫々設けることで、２つのＬＥＤを点灯させる場合と一方のＬＥＤのみを点灯させる場合とを制御部８０が切り替えるように構成することができる。
【０１０６】
（照明装置の他の実施例４）
次に、照明装置の他の実施例４の構成等について説明する。なお、以下では、第１実施形態等と同一の要素については同一の符号を付し、その説明は省略又は簡略化する。
【０１０７】
図１１（ａ）は、他の実施例４に係る照明装置１ｅの平面図を示す。
【０１０８】
図示のように、この照明装置１ｅは、図６（ａ）に示す照明装置１の構成に加えて、光源部１５と対向する側に、補助光源として機能する１つのＬＥＤ１６ｆを有する補助光源部１５ｘを設けている。ここで、ＬＥＤ１６ｆは、青色光を発光する青色ＬＥＤと、ＹＡＧ系蛍光体より構成され、白色光を生成するＬＥＤである。このように、補助光源としてのＬＥＤ１６ｆを設けることにより、サブ表示モードにおける第２の液晶表示パネル３０の明るさを増加させることができる。なお、補助光源の設定数は１つ以上であっても構わない。即ち、サブ表示モードとして、通常の明るさのサブ表示モード（以下、「通常サブ表示モード」と呼ぶ。）と、通常よりも明るいサブ表示モード（以下、「高輝度サブ表示モード」と呼ぶ。）を実現することができる。
【０１０９】
即ち、通常サブ表示モードの場合には、図７（ａ）に示すように、光源部１５内の２個のＬＥＤ１６ｂ及び１６ｃを点灯し、サブ表示パネルたる第２の液晶表示パネル３０を照明する。一方、高輝度サブ表示モードの場合には、図１１（ａ）に示すように、ＬＥＤ１６ｂ及び１６ｃに加えて、補助光源としてのＬＥＤ１６ｆを点灯してサブ表示パネルたる第２の液晶表示パネル３０を照明する。これにより、高輝度サブ表示モードでは、補助光源であるＬＥＤ１６ｆを設けている分だけ、サブ表示パネルたる第２の液晶表示パネル３０を明るくすることができる。
【０１１０】
よって、何らかの理由によりサブ表示モードを明るく表示したい場合に高輝度サブ表モードで表示を行うように携帯電話などの電子機器を構成することができる。例えば、折り畳み式の携帯電話の開閉操作に応じて自動的にサブ表示モードが選択される場合は通常サブ表示モードとして２個のＬＥＤ１６ｂ及び１６ｃでサブ表示パネルたる第２の液晶表示パネル３０を照明し、ユーザが特定のボタンなどを操作して意識的にサブ表示モードを選択した場合には高輝度サブ表示モードとして３個のＬＥＤ１６ｂ、１６ｃ及び１６ｆで明るい表示を行うことができる。
【０１１１】
なお、本発明では、必要に応じてメイン表示モードにおいても補助光源であるＬＥＤ１６ｆを点灯させることとしても構わない。また、本発明では、図７（ｂ）に示すように、照明装置１ａにおいてＬＥＤ１６ｂ及び１６ｃのうち、いずれか一方の１つのＬＥＤ１６ｅを光源部１５の略中央位置に設け、切替信号がサブ表示モードを示す場合に、その１つのＬＥＤ１６ｅのみを発光させて、第２の液晶表示パネル３０の有効表示領域Ｖ２の全体を照明するように構成したが、この構成においても、図１１（ｂ）に示すように、光源部１５と対向する側に、補助光源として機能する１つのＬＥＤ１６ｆを有する補助光源部１５ｘを設けて、上述した作用効果を得るようにしても構わない。
【０１１２】
かかる照明装置１ｆにおける、点灯切替制御回路としては、図６（ｂ）に示す点灯制御回路において、ＬＥＤ１６ｂと１６ｃの直列接続と、ＬＥＤ１６ａと１６ｄの直列接続との並列接続に対して、さらにＬＥＤ１６ｆを並列接続し、制御部８０によりＬＥＤ１６ｆの点灯を制御すればよい。
【０１１３】
[第２実施形態]
次に、本発明の第２実施形態に係る液晶装置の構成等について説明する。図１２は、本発明の第２実施形態に係る液晶装置の構成を示す。
【０１１４】
第２実施形態に係る液晶装置２００では、照明装置１と拡散シート１７の間に半透過反射シート８１を設けている点が第１実施形態の液晶装置１００の構成と異なっており、それ以外の点は両者の構成は同一である。よって、第１実施形態の液晶装置１００と同一の要素については同一の符号を付し、その説明は簡略化又は省略する。
【０１１５】
図示のように、半透過反射シート８１は導光板１０と拡散シート１７との間に設けられる。半透過反射シート８１は受光した光のうち所定の割合の光を透過させ、残りの光を反射させる性質を有する。よって、導光板１０の第２出光面１０ｃから出射した光のうち所定の割合が光Ｌ３としてサブ表示パネルたる第２の液晶表示パネル３０側へ照射され、残りの光は半透過反射シート８１により反射されて光Ｌ４としてメイン表示パネルたる第１の液晶表示パネル２０側へ照射される。半透過反射シート８１が無い状態では、光源部１５から導光板１０内へ入射した光はほぼ同一の割合で第１の液晶表示パネル２０と第２の液晶表示パネル３０に照射される。しかし、半透過反射シート８１を設けることにより、導光板１０から第２の液晶表示パネル３０側へ出射した光の一部が半透過反射シート８１により反射されて第１の液晶表示パネル２０へ照射される。これにより、同一の照明装置１を用いて、メイン表示パネルたる第１の液晶表示パネル２０をより明るく照明することが可能となる。但し、その分、サブ表示パネルたる第２の液晶表示パネル３０の明るさは低下することになる。なお、第２実施形態において、上記の点以外は第１実施形態と同様であり、当該第１実施形態と同一の作用効果を得ることができる。
【０１１６】
[第３実施形態]
次に、本発明の第３実施形態に係る液晶装置の構成等について説明する。図１３は、本発明の第３実施形態に係る液晶装置の構成を示す。
【０１１７】
第３実施形態に係る液晶装置３００は、第１実施形態に係る液晶装置１００と略同様であるが、第３実施形態は、次の点が第１実施形態に係る液晶装置１００と構成上相違する。よって、第１実施形態の液晶装置１００と同一の要素については同一の符号を付し、その説明は簡略化又は省略する。
【０１１８】
即ち、第３実施形態では、第１の液晶表示パネル２０側の遮光シート１４と照明装置１の間には、拡散シート１１、第１のプリズムシート１２及び第２のプリズムシート１３が設けられておらず、その代わりに、第１の液晶表示パネル２０側の遮光シート１４と照明装置１の間には、１つのプリズムシート８９が設けられている。また、第２の液晶表示パネル３０側の遮光シート１４と照明装置１の間には、拡散シート１７、第１のプリズムシート１８及び第２のプリズムシート１９が設けられておらず、その代わりに、第２の液晶表示パネル３０側の遮光シート１４と照明装置１の間には、１つのプリズムシート８８が設けられている。
【０１１９】
ここで、プリズムシート８８及び８９は、それぞれ、照明装置１と対向する側に断面三角形状の複数のプリズム８８ｘ及び８９ｘを有し、且つ各プリズム８８ｘ及び８９ｘをＹ方向に延在させた形状を有する。
【０１２０】
以上の構成を有する第３実施形態に係る液晶装置３００は、第１実施形態と比べて構成要素が少ないので、その分だけ液晶装置３００の薄型化を図ることができる。よって、第３実施形態に係る液晶装置３００を両面表示方式の携帯電話等の電子機器に適用することにより、その電子機器の薄型化に貢献し得る。なお、第３実施形態において、上記の点以外は第１実施形態と同様であり、当該第１実施形態と同一の作用効果を得ることができる。
【０１２１】
［他の実施形態］
上記の説明では、第１の液晶表示パネル２０において、４色の着色領域として、Ｒ、Ｂ、Ｇ１、Ｇ２の４色の着色領域の一例を挙げて説明したが、本発明の適用はこれには限定されず、他の４色の着色領域により１つの画素領域を構成することもできる。
【０１２２】
この場合、４色の着色領域は、波長に応じて色相が変化する可視光領域（３８０〜７８０ｎｍ）のうち、青系の色相の着色領域（「第１着色領域」とも呼ぶ。）、赤系の色相の着色領域（「第２着色領域」とも呼ぶ。）と、青から黄までの色相の中で選択された２種の色相の着色領域（「第３着色領域」、「第４着色領域」とも呼ぶ。）からなる。ここで「系」との語を用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【０１２３】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは青緑から緑である。
・青から黄までの色相で選択される他方の着色領域は、緑から橙であり、より好ましくは緑から黄である。もしくは緑から黄緑である。
【０１２４】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【０１２５】
これにより、従来のＲＧＢの着色領域よりも広範囲の色再現性を実現することができる。
【０１２６】
また、上記では４色の色相の着色領域による広範囲の色再現性を色相で述べたが、他の具体的な例として、着色領域を透過する波長で表現すると以下のようになる。
・青系の着色領域は、該着色領域を透過した光の波長のピークが４１５〜５００ｎｍにある着色領域、好ましくは、４３５〜４８５ｎｍにある着色領域である。
・赤系の着色領域は、該着色領域を透過した光の波長のピークが６００ｎｍ以上にある着色領域で、好ましくは、６０５ｎｍ以上にある着色領域である。
・青から黄までの色相で選択される一方の着色領域は、該着色領域を透過した光の波長のピークが４８５〜５３５ｎｍにある着色領域で、好ましくは、４９５〜５２０ｎｍにある着色領域である。
・青から黄までの色相で選択される他方の着色領域は、該着色領域を透過した光の波長のピークが５００〜５９０ｎｍにある着色領域、好ましくは５１０〜５８５ｎｍにある着色領域、もしくは５３０〜５６５ｎｍにある着色領域である。
【０１２７】
この波長は、透過表示の場合は、照明装置からの照明光がカラーフィルタを通して得られた数値である。反射表示の場合は、外光を反射して得られた数値である。
【０１２８】
さらに、他の具体的な例として、４色の色相の着色領域をｘ−ｙ色度図で表現すると以下のようになる。
・青系の着色領域は、ｘ≦0.151、ｙ≦0.200にある着色領域であり、好ましくは、0.134≦ｘ≦0.151、0.034≦ｙ≦0.200にある着色領域である。
・赤系の着色領域は、0.520≦ｘ、ｙ≦0.360にある着色領域であり、好ましくは、0.550≦ｘ≦0.690、0.210≦ｙ≦0.360にある着色領域である。
・青から黄までの色相で選択される一方の着色領域は、ｘ≦0.200、0.210≦ｙにある着色領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色領域であり、好ましくは、0.257≦ｘ≦0.520、0.450≦ｙ≦0.720にある着色領域である。
【０１２９】
このｘ−ｙ色度図は、透過表示の場合は、照明装置からの照明光がカラーフィルタを通して得られた数値である。反射表示の場合は、外光を反射して得られた数値である。
【０１３０】
これら４色の着色領域は、サブ画素に透過領域と反射領域を備えた場合、透過領域及び反射領域も上述した範囲で適用することができるものである。
【０１３１】
なお、本例における４色の色相の着色領域を用いた場合、バックライト（照明装置）には、上記のようにＲＧＢの光源としてのＬＥＤ（Light Emitting Diode）、或いは蛍光管、有機ＥＬ（organic electroluminescence）などを用いても良い。または白色光源を用いても良い。なお、白色光源は、上記のように青の発光体とYAG系蛍光体により生成される白色光源でもよい。
【０１３２】
但し、ＲＧＢ光源としては、以下のものが好ましい。
・Ｂは発光する光の波長のピークが４３５ｎｍ〜４８５ｎｍにあるもの
・Ｇは発光する光の波長のピークが５２０ｎｍ〜５４５ｎｍにあるもの
・Ｒは発光する光の波長のピークが６１０ｎｍ〜６５０ｎｍにあるもの
そして、ＲＧＢ光源の波長によって、上記した着色層を適切に選定すればより広範囲の色再現性を得ることができる。また、波長が例えば、４５０ｎｍと５６５ｎｍにピークがくるような、複数のピークを持つ光源を用いても良い。
【０１３３】
上記の４色の色相の着色領域の構成の例としては、具体的には以下のものが挙げられる。
・色相が、赤、青、緑、シアン（青緑）の着色領域。
・色相が、赤、青、緑、黄の着色領域
・色相が、赤、青、深緑、黄の着色領域
・色相が、赤、青、エメラルドグリーン、黄緑の着色領域
・色相が、赤、青、エメラルドグリーン、黄の着色領域
・色相が、赤、青、深緑、黄緑の着色領域
[変形例]
上記の各種の実施形態では、メイン表示パネルとして機能する第１の液晶表示パネル２０は、大型パネルとして形成されている一方、サブ表示パネルとして機能する第２の液晶表示パネル３０は、第１の液晶表示パネル２０より小さい小型パネルとして形成されている。しかし、本発明では、第１の液晶表示パネル２０と第２の液晶表示パネル３０との相対的な大きさの関係に特に限定はない。それゆえ、本発明では、第１の液晶表示パネル２０と第２の液晶表示パネル３０の相対的な大きさは同一でも構わないし、或いは第２の液晶表示パネル３０は第１の液晶表示パネル２０より大きくても構わない。
【０１３４】
また、上記の各種の実施形態では、第２の液晶表示パネル３０は、Ｒ、Ｇ、Ｂの３色の着色層６を有する液晶表示パネルとして構成しているが、これに限らず、本発明では、第２の液晶表示パネル３０は、第１の液晶表示パネル２０と同様に、Ｒ、Ｂ、Ｇ１、Ｇ２の４色の着色層６を有する液晶表示パネルとして構成しても構わない。
【０１３５】
また、上記の各種の実施形態では、第１の液晶表示パネル２０及び第２の液晶表示パネル３０は、完全透過型の液晶表示パネルとして構成しているが、本発明では、これに代えて、第１の液晶表示パネル２０及び第２の液晶表示パネル３０は、半透過反射型の液晶表示パネルとして構成しても構わない。
【０１３６】
また、上記の第１の液晶表示パネル２０及び第２の液晶表示パネル３０では、それぞれ、スイッチング素子として、α−Ｓｉ型ＴＦＴ素子４７及び５７を用いているが、これに限られず、本発明では、第１の液晶表示パネル２０及び第２の液晶表示パネル３０に対して、ポリシリコンＴＦＴなどの他の三端子型素子や、ＴＦＤ（Thin Film Diode）素子に代表される二端子型非線形素子を適用することもできる。
【０１３７】
その他、本発明では、その趣旨を逸脱しない範囲において種々の変形をすることが可能である。
【０１３８】
［電子機器］
次に、図１４及び図１５を参照して、上記した各種の照明装置を有する液晶装置１００又は２００又は３００等を備えた電子機器の実施形態について説明する。この実施形態の電子機器は、図１４に示すように、第１の液晶表示パネル２０を制御する制御手段１１００と、第２の液晶表示パネル３０を制御する制御手段１３００とを有する。制御手段１１００及び１３００は、電子機器内に設置されたマイクロコンピュータ等で構成される中央制御部１０００によって制御される。
【０１３９】
第１の液晶表示パネル２０及び第２の液晶表示パネル３０は、パネル上に実装され、或いは、パネルに対して配線部材を介して接続されるなどした、半導体ＩＣ等で構成される駆動回路１１０Ｄ、１３０Ｄに接続され、これらの駆動回路１１０Ｄ、１３０Ｄが上記制御手段１１００、１３００に接続されている。制御手段１１００、１３００は、表示情報出力源１１１０、１３１０と、表示処理回路１１２０、１３２０と、電源回路１１３０、１３３０と、タイミングジェネレータ１１４０、１３４０とを有する。
【０１４０】
表示情報出力源１１１０、１３１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４０、１３４０によって生成された各種のクロック信号に基づいて、所定フォーマットの画像信号等の形で表示情報を表示情報処理回路１１２０、１３２０に供給するように構成されている。
【０１４１】
表示情報処理回路１１２０、１３２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路へ供給する。駆動回路１１０Ｄ、１３０Ｄは、走査線駆動回路、データ線駆動回路及び検査回路を含む。また、電源回路１１３０、１３３０は、上述の各構成要素にそれぞれ所定の電圧を供給する。
【０１４２】
上記中央制御部１０００は、制御手段１１００、１３００の表示情報出力源１１１０、１３１０に適宜に点灯／消灯指令や表示情報の元データなどを送出し、これに対応する表示情報を表示情報出力源１１１０、１３１０に出力させ、制御手段１１００、１３００及び駆動回路１１０Ｄ、１３０Ｄを介して第１の液晶表示パネル２０及び第２の液晶表示パネル３０に適宜の表示画像を表示させる。また、中央制御部１０００は、上記光源部１５に対しても点灯や消灯などの制御を行うように構成されている。
【０１４３】
図１５は、本発明に係る電子機器の一実施形態である携帯電話機２０００を示す。この携帯電話機２０００は、各種操作ボタンが設けられマイクを内蔵した本体部２００１と、表示画面やアンテナを備えスピーカを内蔵した表示部２００２とを有し、本体部２００１と表示部２００２とが相互に折りたたみ自在に構成されている。この携帯電話機２０００は、例えば、本体部２００１及び表示部２００２が折り畳まれた時に、第１の液晶表示パネル２０は表示部２００２の本体部２００１側の面に位置し、第２の液晶表示パネル３０は表示部２００２の本体部２００１と反対側の面に位置する。そして、表示部２００２内には上記した各種の照明装置を有する液晶装置１００又は２００又は３００等が内蔵され、その内面上にはメイン側の第１の液晶表示パネル２０の表示画面が視認可能に構成され、また、外面上にはサブ側の第２の液晶表示パネル３０の表示画面が視認可能に構成されている。
【０１４４】
本実施形態では、図１５（ａ）に示すように本体部２００１から表示部２００２を開くことによって、上記中央制御部１０００からの指令によってメイン側の第１の液晶表示パネル２０が点灯し、所定の画像が表示される。また、図１５（ｂ）に示すように表示部２００２を本体部２００１上に折りたたむことにより、メイン側の第１の液晶表示パネル２０が消灯し、代わりにサブ側の第２の液晶表示パネル３０が点灯して所定の画像が表示されるように構成することができる。
【０１４５】
なお、本発明の電気光学装置及び電子機器は、上述の図示例にのみ限定されるものではなく、本発明の要旨を逸脱しない範囲内において種々変更を加え得ることは勿論である。例えば、上記各実施形態では電気光学パネルとして液晶表示パネルを用いているが、本発明の電気光学パネルとしては、有機エレクトロルミネッセンスパネル、プラズマディスプレイパネル、フィールドエミッションディスプレイなどの各種電気光学パネルを用いることもできる。
【図面の簡単な説明】
【０１４６】
【図１】本発明の第１実施形態に係る液晶装置の概略構成を示す断面図。
【図２】図１に示す第１の液晶表示パネルの平面図。
【図３】図２の切断線Ａ−Ａ´に沿った第１の液晶表示パネルの断面図。
【図４】図１に示す第２の液晶表示パネルの平面図。
【図５】図４の切断線Ｂ−Ｂ´に沿った第２の液晶表示パネルの断面図。
【図６】図１に示す照明装置の構成及び点灯制御回路例を示す。
【図７】第２の液晶表示パネルの点灯制御例を示す照明装置の平面図。
【図８】他の実施例１に係る照明装置の構成及び点灯制御回路例を示す。
【図９】他の実施例２に係る照明装置の構成及び点灯制御回路例を示す。
【図１０】他の実施例３に係る照明装置の構成及び点灯制御回路例を示す。
【図１１】他の実施例４に係る照明装置の構成等を示す。
【図１２】本発明の第２実施形態に係る液晶装置の概略構成を示す断面図。
【図１３】本発明の第３実施形態に係る液晶装置の概略構成を示す断面図。
【図１４】電子機器の構成例を示すブロック図。
【図１５】電子機器の一例である携帯電話の外観を示す斜視図。
【符号の説明】
【０１４７】
１、１ａ、１ｂ、１ｃ、１ｅ、１ｆ  照明装置、  ６  着色層、  １０  導光板、  １５  光源部、  １６  ＬＥＤ、  ２０  第１の液晶表示パネル、  ３０  第２の液晶表示パネル、  ８０  制御部、  １００、２００、３００  液晶装置、  ２０００  携帯電話機
【図１】
2007240910.tif 000003
【図２】
2007240910.tif 000004
【図３】
2007240910.tif 000005
【図４】
2007240910.tif 000006
【図５】
2007240910.tif 000007
【図６】
2007240910.tif 000008
【図７】
2007240910.tif 000009
【図８】
2007240910.tif 000010
【図９】
2007240910.tif 000011
【図１０】
2007240910.tif 000012
【図１１】
2007240910.tif 000013
【図１２】
2007240910.tif 000014
【図１３】
2007240910.tif 000015
【図１４】
2007240910.tif 000016
【図１５】
2007240910.tif 000017